(57)【要約】【課題】近年地球温暖化が進んでいるが、温暖化の原因である二酸化炭素，メタンガス，発熱の削減には至っていない炭の原料を炭に焼くことで、地球上の二酸化炭素の源である炭素の循環を止めることができる。地球温暖化効果削減のための炭焼であるため、二酸化炭素と熱の発生を極力抑えての炭焼きが必要であり、また大量の炭焼きが必要とされる。【解決手段】電動機に駆動される搬送機によって載置搬送された炭の原料を酸素の補給を極力抑えながら加熱機にて炭を焼くことにより、二酸化炭素および熱の発生を極力抑えて大量の炭の原料を連続して大量に焼くことを特徴とする加熱機による炭焼装置である。【選択図】図１
2009143994.tif 000002
【特許請求の範囲】
【請求項１】
炭の原料の供給が可能なストックケースを焼成炉の一端に装備し、該焼成炉に加熱機を取付け、該焼成炉内に電動機により駆動される搬送機を備え、該搬送機により載置搬送された炭の原料を連続して炭を焼くことを特徴とする炭焼装置。
【請求項２】
上記焼成炉に可動形の空気遮断板により加熱機によって焼かれた高温の炭の空気接触による着火や発火を抑えることを特徴とする請求項１記載の炭焼装置。
【請求項３】
上記搬送機を多段に装備することを特徴とする請求項１および２記載のいずれかの炭焼装置。
【請求項４】
上記ストックケースと冷却室との間を連結する冷却通気管を装備し、焼き揚った炭を冷やすとともに炭の原料を加温乾燥することを特徴とする請求項１，２および３記載のいずれかの炭焼装置。
【請求項５】
上記ストックケースと焼成炉との間を連結する酢液採取通気管を装備し、酢液を取出すことを特徴とする請求項１，２，３および４記載のいずれかの炭焼装置。
【発明の詳細な説明】
【技術分野】
【０００１】
本発明は、地球温暖化効果である二酸化炭素および熱の発生を極力抑えて大量の炭の原料を、連続して加熱機により炭に焼く炭焼装置に関するものである。
【背景技術】
【０００２】
近年地球温暖化現象が色々と問題になっている温暖化の原因は、空気中の温暖化効果ガスである二酸化炭素が原因とされている。
【０００３】
温暖化防止対策として化石燃料の使用量を抑える目的でトウモロコシ，サトウキビ等を発酵させてエタノールを造って、エタノールを使用する量だけ化石燃料の使用量を減らすことができ、また今現在の地球上の作物よりエタノールを造って使用するために温暖化効果ガスである二酸化炭素の総量は化石燃料を使用しなかったために削減されたとの発想のもとでのエタノール造りが普及している。
【０００４】
また樹木を植えて樹木に二酸化炭素を吸収させることによって二酸化炭素が削減されるとの発想のもとでの植樹が行なわれている。
【０００５】
また各企業においては節電および化石燃料使用の節約によって二酸化炭素が削減されるとの発想のもとでの省エネルギーおよび節電を目的で技術革新が行なわれている。
【０００６】
しかし、上記の発想はいずれも地球上の二酸化炭素を根本的に削減はできていないのであり、炭素を循環させたにすぎないのである。トウモロコシを利用してエタノールを造って燃料として使用すれば化石燃料の使用量をエタノールを使った量だけ減らすことができるとの発想のもとでエタノールが造られているのであるが、トウモロコシを発酵させる時に利用するトウモロコシは、トウモロコシ１本の内で３〜４個しか実が実らないのであり、その実の種子以外の茎，葉，根および種子の芯は当然燃やされて二酸化炭素や熱を発生させているのである。そしてトウモロコシ１本の総量の数パーセントの種子のみを使ってのエタノール造りである。最近では残りの茎，葉からもエタノールが造れるようになったともいわれている。しかし、トウモロコシの茎，葉，根および種子の芯の総量全体がエタノールにはできず、どうしてもカスはできるのであり、そのカスは燃やされて二酸化炭素や熱が発生するのである。
【０００７】
そして、トウモロコシの澱粉や糖質が酵母によって発酵してエタノールが造られるのであるが、その発酵の過程で二酸化炭素が発生するのであり、またそのエタノール造りの施設作りの材料や動力源のエネルギーは化石燃料を利用してのエネルギーであり、二酸化炭素および熱の発生源である。
【０００８】
トウモロコシからエタノールを造るということは、トウモロコシが蓄えた構成材料の大半が炭素である澱粉や糖質を利用して炭素の化合物であるエタノールを造ったのである。そのためにエタノールを燃やすと二酸化炭素と熱が発生するのである。そして、そのトウモロコシの１本の総量の数パーセントの利用のために施設作りの動力源や発酵過程，根・葉・茎・芯および絞りカスの焼き捨て等で二酸化炭素の発生とエタノールを燃焼させての二酸化炭素が発生するのである。二酸化炭素を削減するのが目的であるのに逆に増やしているのであり、今現在の地球上の植生物で造った燃料を利用して化石燃料を使用しないので二酸化炭素が削減されるとの発想は成立しないで、逆に二酸化炭素の総量は増加しているのであり、循環の中での二酸化炭素が増加しているのである。それはトウモロコシに含まれる炭素の総量が決まっているからであり、エタノールを造って燃焼させてもトウモロコシを燃やしてもトウモロコシより発生する二酸化炭素である炭素の総量は減らすことはできないのである。
【０００９】
そして、トウモロコシ１本の総量の内の茎，葉，根および種子の芯に対して、種子はほんの数パーセントしか利用することができず、またその数パーセントのトウモロコシの種子のために、小麦畑をトウモロコシ畑に転作してエタノールを造るためにトウモロコシの主食人種および家畜の食料の高騰を招いているのであり、また小麦および小麦を利用した材料迄もが高騰を招いているのである。
【００１０】
また、樹木を植えて樹木に二酸化炭素を吸収させることにより、二酸化炭素を削減させるということについては、樹木が生育中に二酸化炭素を吸収して削減はできているかも知れないが、樹木を材木として利用した場合は、材木収穫後の枝葉は燃やすか、放置により二酸化炭素およびメタンガスと熱を発生するのである。そして、材木もいつまでも建築材として利用できず、台風や地震災害時、また建物の建替時には産業廃棄物として燃やされるか、放置により二酸化炭素およびメタンガスと熱を発生するのである。
【００１１】
今現在の地球上での経済の発展のためには、節電および化石燃料使用節約による二酸化炭素削減には無理がある。また、エタノールを造っての二酸化炭素削減にも無理がある。上記の方法ではどのようにしても二酸化炭素の削減はできないのであり、二酸化炭素の源である炭素の循環は止められないのであり、元素記号Ｃの炭素は消滅も削減もできないのである。
【００１２】
ここで、二酸化炭素の説明をすると、二酸化炭素とは炭素と酸素の化合物である。樹木および草木は二酸化炭素の気体を吸収して炭素を取り込んで酸素を放出しているのである。その取り込まれた炭素は植生物の体内で構成材料の大半が炭素である蛋白質，脂質，炭水化物に変えられて植生物に蓄えられるのである。そして、その蓄えられた構成材料が炭素の大半である蛋白質，脂質，炭水化物を動生物が栄養素として取り込むのである。それゆえに動生物も樹木や草木と同じように、蛋白質，脂質，炭水化物の構成材料の大半である炭素を蓄えて生育しているのである。植物も動物も体内に炭素を蓄えているために燃やすことによって、蓄えられた炭素と酸素が結合して二酸化炭素と熱が発生するのである。木の葉一枚，草の一本迄が燃えるということは木の葉一枚，草の一本迄もが炭素の貯蔵庫なのである。
【００１３】
有機物である炭の原料が燃えて二酸化炭素と熱が発生するということは、炭の原料中の炭素と酸素が結合して二酸化炭素と熱が発生するのである。炭素がないと着火しないのである。炭とは元素記号Ｃの炭素そのものであり、地球温暖化防止のためには炭を焼いて炭素の固定が必要であり、炭の原料としては燃やすことのできる物の全てであるが、例として、竹，木，材木を収穫した後の枝葉，草刈後の草木，家畜の排泄物，建物取り壊し時の材木，家庭から集められた燃えるゴミ，農家の稲麦の刈り取り後の藁および籾殻，果実野菜の茎および枝葉，台風地震災害時の木材，川，海，ダム等の流木等々の燃やすことのできるもの全てである。これより以後は炭の原料と表わす。
【００１４】
有機物とは、樹木や草木が取り込んだ構成材料の大半が炭素である蛋白質，炭水化物，脂質等なのである。構成材料の大半が炭素である蛋白質，炭水化物，脂質等がある場合のみ着火するのである。たとえばタバコに火を着けると二酸化炭素と熱が発生するが、それを途中で火を消すと炭とタバコの葉の残りと灰ができる。炭とタバコの葉の残りには火を着けることができるが、灰は二度と火を着けることができない。それは、灰の中にはもう炭素がないからなのである。
【００１５】
炭の原料を燃やすと二酸化炭素と熱が発生してその二酸化炭素を樹木や草木が吸収して酸素を放出して炭素を体内に取り込む。またそれを燃やすか放置されることにより、二酸化炭素を発生するという繰り返しが起っている。それは二酸化炭素の循環である。二酸化炭素の循環とは、炭素の循環なのである。炭素は地球上で多様な状態で海，陸，生物圏，大気圏を循環していて年間の総移動量は約２,０００億トンと見積られているそうである。
【００１６】
世の中の有機物である炭の原料の全てが炭素を取り込んだ植生物および植生物を取り込んだ動生物から形成されている。全ての有機物は、炭素が大半の構成材料であるために、燃やすことによって酸素と炭素が結合して二酸化炭素と熱が発生して大気中に放出されるのであるが、地球温暖化が増進するのは、太古の昔に植生物が蓄えた化石炭素を、今現時代において急激に燃やすために二酸化炭素が増えるのであり、地球温暖化が増進するのである。
【００１７】
それと二酸化炭素が発生するのには炭の原料を燃やす以外にももう一つの過程がある。それは、有機物が細菌や微生物等により分解される時にも、地球温暖化効果のある二酸化炭素やメタンガスおよび熱を発生するのである。たとえば、人間の排泄物の浄化槽でのべると、浄化槽で細菌や微生物等で分解されながら二酸化炭素とメタンガスおよび熱を発生しながら分解され、大気中に放出されているのである。それと水に溶け込んだ二酸化炭素および炭素の化合物も排水されて河川，湖沼，海に流されるのである。たとえば、構成材料の大半が炭素である砂糖が水に溶けるように、他の化合物も水に溶け込んで水に流されるのである。
それは、炭素が河川，湖沼，海および大気中に二酸化炭素および炭素の化合物として放出されただけであり、排泄物中の炭素は消滅したのではないのである。そして、炭の原料の放置も上記のように細菌や微生物によって、二酸化炭素やメタンガスおよび熱が発生して放出されているのである。
【００１８】
そして、上記による炭の原料を燃やしたり浄化や放置により発生した炭素である二酸化炭素は、植生物に吸収されて地球上の循環を起こしているのである。
そして、メタンガスも燃やすことにより二酸化炭素が発生するのは、炭素の化合物であるからである。
温暖化ガスとして二酸化炭素が一般的に問題視されているが、温室効果ガスとして二酸化炭素を１とするとメタンガスは２１倍の温室効果があるとされている。
【００１９】
炭の原料を燃やすことにより、二酸化炭素と熱が発生するのであるが、燃やさずに放置されることにより細菌や微生物によって分解されながら、二酸化炭素と熱を発生する。そしてもっと腐敗が進むことにより、二酸化炭素の２１倍の温室効果のあるメタンガスが発生するのである。
そのために地球温暖化効果削減のためには、炭の原料はメタンガスの発生を防止するために絶対に放置は止めなければならないのである。
【００２０】
地球温暖化防止対策として、酸素と炭の原料内の炭素との結合により発生する、炭素の化合物である二酸化炭素の循環を止めることによって、二酸化炭素の源である炭素を削減することができるのである。それは炭を作ることである。樹木や草木が蓄えた元素記号Ｃである炭素を炭に焼くことで、炭として炭素を固定したことになり、炭素の循環を止めたことになり、二酸化炭素の循環を止めたことになり、削減できたことになるのである。炭を燃やさないかぎりは、その炭を燃やして発生する二酸化炭素と熱の発生を止めたことになり、地球温暖化効果を削減したことになるのである。
【００２１】
地球温暖化効果削減のための炭焼きには二酸化炭素および熱の発生を極力抑えての炭焼きが必要である。
昔から炭は焼かれているが、一般的な炭焼きは炭の原料に火を着けて可燃ガスを燃焼させてしまった後に、火を消しての炭焼きの方法がある。
そして、炭を作るにはもう一つの方法がある。それは、酸素の補給なしで着火させずに熱気のみでの炭を作る方法がある。酸素の補給なしで熱気のみで炭を焼くことにより、炭の原料自体から二酸化炭素と熱の発生を極力抑えての炭焼きができる。それは一般的に言われている蒸し焼きである。
【００２２】
今日現在上記の炭の原料は、全て放置や燃やされていて地球温暖化効果の原因である
二酸化炭素や熱またはメタンガスとして大気中に放出されているのである。
しかし、燃えるもの全てを炭に焼くことができるのであるが、プラスチック製品および塩化ビニール製品等は焼成温度が低いため、ダイオキシン等の有害物質が発生するので炭に焼くことは止めることが望ましい。
【００２３】
従来の炭焼装置は炭焼窯の中へ炭の原料を並べて焚口より火を着けて炭焼窯の中の炭の原料全体に着火および発火をさせて、炭の原料より発生する可燃ガスを燃やし切った後に消火しての炭焼きであるために、炭の原料の総量の２０パーセントが燃えて、８０パーセントの炭ができるとされている。炭の原料から発生する可燃ガスの有無は煙突より出てくる煙の色が白色から無色となったことを見定めて、可燃ガスが無くなったことを判断して消火を行って炭を作る炭焼装置がある。そしてその炭焼は炭の原料を窯に並べて炭になる迄に約一週間程掛るのである。
また、特開２０００−１２１０１４号公報「ゴミ焼却炉と炭焼窯の二つの機能を備えた単独の燃焼設備」に見られる燃焼設備も炭の原料を燃焼させての炭焼窯が提供されている。
また、特開２００５−３２０４６０号「炭焼窯」に見られる容器内の炭の原料を容器外部での熱気および熱の通過により容器内の炭の原料を蒸し焼きにする炭焼装置が開示されている。
【特許文献１】特開２０００−１２１０１４号公報
【特許文献２】特開２００５−３２０４６０号公報
【発明の開示】
【発明が解決しようとする課題】
【００２４】
しかし、上記のような炭焼装置はいずれも地球温暖化防止目的のための炭焼には、二酸化炭素および熱の発生量が多大でまた時間が掛り膨大な量の炭の原料を炭に焼くには無理がある。昔ながらの炭焼き工程の一週間は時間が掛りすぎなのである。
地球温暖化防止には、炭の原料を燃やすことによる二酸化炭素と熱の発生、また炭の原料の放置による腐敗での二酸化炭素発生、メタンガス発生および発熱を防止する目的の炭焼が大事である。
【００２５】
炭は燃やさないかぎりは二酸化炭素も熱も発生せずに腐ることもなく、何十年，何千年後も炭のままで変化しないのである。従って、炭の原料を炭化させることで炭素を固定したことになるので、地球温暖化効果を削減したことになり、また二酸化炭素の循環を止めたことになる。そのためには二酸化炭素の削減のための炭焼きが必要なのである。
【００２６】
地球温暖化防止対策として酸素と炭の原料内の炭素との結合により発生する二酸化炭素である炭素の循環を止めることによって、地球上の二酸化炭素である炭素を削減することができるのである。それは炭を作ることである。樹木や草木が蓄えた炭素を炭に焼くことで炭素を固定したことになり、炭素の循環を止めたことになり、二酸化炭素の循環を止めたことになり、削減できたことになるのである。炭を燃やさないかぎりはその炭を燃やして発生する二酸化炭素と熱の発生を止めたことになり、地球温暖化効果を削減したことになるのである。そのための二酸化炭素および熱の発生を極力抑えて膨大な量の炭の原料を炭に焼くことを目的とするものである。
【課題を解決するための手段】
【００２７】
炭の原料の供給が可能なストックケースを焼成炉の一端に装備し、該焼成炉に加熱機を取付け、該焼成炉内に電動機により駆動される搬送機を備え、該搬送機により載置搬送された炭の原料を連続して炭を焼くことを特徴とする炭焼装置である。
【００２８】
上記焼成炉に可動形の空気遮断板により加熱機によって焼かれた高温の炭の空気接触による着火や発火を抑えることを特徴とする請求項１記載の炭焼装置である。
【００２９】
上記搬送機を多段に装備することを特徴とする請求項１および２記載のいずれかの炭焼装置である。
【００３０】
上記ストックケースと冷却室との間を連結する冷却通気管を装備し、焼き揚った炭を冷やすとともに炭の原料を加温乾燥することを特徴とする請求項１，２および３記載のいずれかの炭焼装置である。
【００３１】
上記ストックケースと焼成炉との間を連結する酢液採取通気管を装備し、酢液を取出すことを特徴とする請求項１，２，３および４記載のいずれかの炭焼装置である。
【発明の効果】
【００３２】
本発明によれば、炭の原料を電動機により駆動される搬送機によって連続に載置搬送することができ、また電熱ヒーターあるいは電磁波発生機等加熱機により焼成し、搬送機によって炭の原料を連続して供給させることができるので大量の炭焼きができて、大量の炭素を固定できる。
また現在トウモロコシよりエタノールを造る場合に茎，葉，根および種子の芯等、大半がカスとして発生するが、これらのカスを原料として炭焼きすれば二酸化炭素削減のためにトウモロコシを１００パーセント活用することができる。
【００３３】
焼成炉内の電動機により駆動される搬送機により載置搬送されながら炭の原料は加熱機によって炭に焼かれる。該炭の原料は加熱機により酸素に接触すると着火や発火を発生する迄温度が上昇する。該酸素の接触を抑えて炭の原料自体からの温暖化効果のある二酸化炭素および熱の発生を抑えるための炭の搬出口附近に可動形の空気遮断板を装備することにより炭の原料の着火や発火を抑えての炭焼きができる。
【００３４】
電動機によって駆動される載置搬送機を多段にすることにより、炭の原料に含まれる水分を蒸発させ、該原料の乾燥を促進することができ、また炭の原料の予備焼きができて炭焼きの工程時間が短縮できる。
【００３５】
ストックケースと冷却室との間を連結する冷却通気管および冷却通気扇により強制的に焼き揚った炭より発生する冷却室内の熱気を、ストックケース内へ強制循環させることにより焼き揚った炭を着火や発火を抑える迄に温度を下げることができ、またストックケース内の炭の原料の加温乾燥することができ加熱機によって発生させた熱気を無駄なく効率的に利用できる。
【００３６】
ストックケースと焼成炉との間を連結する酢液採取通気管および酢液採取通気扇を装備することによって、炭の原料を加熱することによって発生する可燃ガスと水蒸気を一般的な昔ながらの炭焼きのように煙として煙突より排出するのではなくて、煙を循環させることにより、煙より発生する酢液を効率的に採取することができる。
【発明を実施するための最良の形態】
【００３７】
図１は本発明による炭焼装置の概要を示す側面図である。
同図において、１は二酸化炭素および熱の発生を極力抑えて大量の炭の原料を連続して加熱機によって炭に焼く炭焼装置である。
該炭焼装置１は焼成炉２，電動機３，該電動機３により駆動される搬送機４，電熱ヒーター又は電磁波発生機等の加熱機５，ストックケース６とから構成されている。
【００３８】
焼成炉２は箱形の形状とし、該焼成炉２の一端にはストックケース６が装備されており、該ストックケース６より調節機１４で供給量を調節されながら炭の原料７が搬送機４に供給される。
この炭の原料７は電動機３により駆動される搬送機４に載置され、搬送される過程で焼成炉２の天井部、側部または底部等の周囲に装備された加熱機５によって焼成されながら、搬出口１２附近に達する迄に炭８に焼かれるのである。
電動機３は焼成炉２内に図示されているが、電動機３は焼成炉２の加熱機５の熱気１６を受けないように、焼成炉２外部に装備されており、シャフト等で駆動している。
【００３９】
なお、焼成炉２は箱形の形状に限定するものではなく、該焼成炉２の天井側の形状を供給した炭の原料７に加熱機５の熱気１６を均等に照射できるように、また加熱機５の取付が可能なように、天井面の形状をドーム形，円形，三角形等のいずれの形状にしても支障はない。
【００４０】
調節機１４は炭の原料７の供給量を調節するものであるが、炭の原料７の形状は大小長短の様々であり、形状の小さいものや粉状に近い物は供給口より大量に供給される可能性がある。
そこで、ストックケース６と焼成炉２の連結部附近に調節機１４を装備して小さいものや粉状に近い炭の原料７の大量供給を調節できるようにしたものである。該調節機１４は手動式または電動式のいずれでも良く、供給口を広げたり狭めたりすることにより、供給量を調節できるものである。
【００４１】
そして、ストックケース６より供給量の調節機１４によって調節された炭の原料７は、電動機３により駆動される搬送機４に載置搬送されながら、加熱機５によって炭８に焼かれるのである。しかし、炭８の搬出口１２より搬出された炭８は高熱のため、外部に放出されると、酸素に触れるために着火や発火しているために、水１３をかけて消火または冷やすことが望ましい。
【００４２】
そして炭の原料７は燃えるもの全てではあるが、何メートルもある竹，木等の長いものや太いものは調節機１４より供給できるように破砕することが望ましい。また、破砕しておくことにより、炭の原料７の炭化をより促進させることができる。
【００４３】
また、焼成炉２には加熱機５が装備され、搬送機４によって連続して載置搬送される炭の原料７は、該加熱機５によって連続して炭８に焼くことができる。本実施例では該加熱機５は、焼成炉２の上部に一箇所だけの図示であるが、炭の原料７の量によっては上部および側部または底部等周囲に増設して装備することが望ましい。また、炭の原料７の量によっては加熱機５の数は数箇所装備することが望ましい。
【００４４】
焼成炉２の内部にストックケース６より調節機１４によって調節されながら供給した炭の原料７が、電動機３に駆動される搬送機４に載置され搬送されながら炭に焼くのであるが、炭の原料７に加熱機５の熱を均等に照射できるように加熱機５を焼成炉２の底部に装備する時は、搬送機４の炭の原料７の載置箇所は熱を受けやすくするために、耐熱性のある材料で金網形状とすることが望ましい。
【００４５】
また、地球温暖化効果削減のために集められる膨大な量の炭の原料７を炭８に焼くのには、連続して大量の炭８を焼くことが必要である。従来の炭８の焼き方の一度着火や発火をさせた後に消火しての炭焼きでは、短時間でのまたは大量の炭焼きには無理がある。
本発明によると電動機３に駆動される搬送機４によって次々載置搬送される、炭の原料７を加熱機５によって炭に連続して大量に焼くことができる。
【実施例１】
【００４６】
図２は本発明による炭焼装置の概要を示す側面図である。同図において１は二酸化炭素および熱の発生を極力抑えて大量の炭の原料を連続して加熱機によって炭の原料を炭に焼く炭焼装置であり、該炭焼装置に可動形の空気遮断板を装備して炭の原料および炭の自然着火や発火を極力抑えるようにした炭焼装置である。
【００４７】
焼成炉２内の電動機３に駆動される搬送機４に載置搬送されながら炭の原料７は加熱機５によって加熱されながら搬出口１２附近までに炭８に焼かれるのであるが、搬出口１２より空気の進入があれば炭の原料７や炭８は酸素に接触して着火や発火が起るのである。
【００４８】
地球温暖化効果削減のための炭焼きであるためには炭の原料７や炭８自体からの二酸化炭素や熱の発生を搬出口１２附近に可動形の遮断板９を装備するとともに炭の原料７の投入口１０のフタ１１を閉じることによって空気の進入を極力抑えて焼成炉２内での着火や発火を極力抑えての炭焼きができる。
【００４９】
遮断板９は電動機３により駆動される搬送機４に載置搬送される炭の原料７および炭８の量によって高低が生じるが遮断板９を可動形にすることにより載置搬送される炭の原料７および炭８の表面を添わせるように可動させることにより空気の進入を極力抑えることができる。なお、遮断板９は１個所のみの図示であるが複数枚装備することにより、空気の進入をよりいっそう抑えられることはいうまでもなく、また遮断板９は板状ではなく暖簾のように縦形に裂けた形状として高低のある炭８の表面を添わせることが望ましい。また遮断板９は不燃性の材質であることが望ましい。
【実施例２】
【００５０】
図３は本発明の炭焼装置の焼成炉内の電動機に駆動される載置搬送機を多段に装備した概要を示す側面図である。
同図において１は二酸化炭素および熱の発生を極力抑えて、大量の炭の原料を連続して加熱機によって炭に焼く炭焼装置である。
該炭焼装置１は焼成炉２，電動機３，該電動機３により駆動される搬送機４，電熱ヒーター又は電磁発生機等加熱機５，ストックケース６，空気遮断板９，酢液採取通気管１５，酢液採取通気扇１７とから構成されている。
【００５１】
ストックケース６の上部と焼成炉２の側部間を接続する酢液採取通気管１５を装備しており、上記酢液採取通気扇１７はストックケース６の上部の酢液採取通気管１５に装備されている。該酢液採取通気扇１７を作動させることにより、焼成炉２の加熱機５において炭の原料７を炭８に焼いた余熱である熱気１６を炭の原料７の隙間を通過循環させることによって炭の原料７に含まれる水分を蒸発させ、該原料７を乾燥させることができる。
【００５２】
なお、酢液採取通気管１５は焼成炉２の側部の図示であるが、焼成炉２の底部に接続しても熱気１６の循環には支障はない。また酢液採取通気扇１７は酢液採取通気管１５のどの位置に装備しても熱気１６の循環には支障はない。
【００５３】
そして余熱である熱気１６を最大限に利用可能にするために焼成炉２内の電動機３に駆動される載置搬送機４を複数基上下多段に装備することにより炭の原料７を長時間余熱である熱気１６に接触させることで炭の原料７内の水分を早く蒸発させることができ、また炭の原料７の予備焼きができて、炭８焼きに要する時間短縮ができる。
【００５４】
また図示では電動機３に駆動される載置搬送機４は３基しか図示されていないが、載置搬送機は台数の多い程水分蒸発および予備焼きをより増進させることができるため、多数の複数基の装備が望ましい。
【００５５】
また電動機３により駆動される載置搬送機４は余熱である熱気１６を炭の原料７の隙間の通過を可能にするために載置搬送機４の載置部分は不燃性の金網形状とすることが望ましい。
【００５６】
また電動機３に駆動される搬送機４は一段ごとに回転を逆方向にすることによって余熱である熱気１６をより多く炭の原料７に接触させることができて、水分の蒸発および予備焼きをより増進させることができるために、一段ごとに回転を逆方向にすることが望ましい。
なお電動機３は焼成炉２内に図示されているが、電動機３は焼成炉２の加熱機５の熱気１６を受けないように、焼成炉２外部に装備されており、シャフト等で駆動している。
【実施例３】
【００５７】
図４は本発明の炭焼装置に焼き揚った炭の冷却装置を装備した概要を示す側面図である。
同図において１は二酸化炭素および熱の発生を極力抑えて、大量の炭の原料を連続して加熱機によって炭に焼く炭焼装置１であり、該炭焼装置１における焼き揚った炭の冷却装置２２である。
その他前記実施例と同じ符合のものは同一物を示し詳細な説明を省略する。
上記冷却装置２２は冷却室２３，遮断板９，冷却通気管２４，冷却通気扇２５とから構成されている。
【００５８】
炭焼装置１は炭の原料７を電動機３に駆動されながら加熱機５によって連続して炭８に焼くのであるが、酸素の供給を抑えての炭焼きであるために炭８の搬出口１２附近においては炭８は高温のために酸素に接触しての発火や着火が起るのを防止するための冷却装置２２である。
【００５９】
炭の原料７が電動機３により駆動される載置搬送機４によって搬送されながら加熱機５によって炭８になると、該炭８は搬出口１２附近で可動形の遮断板９で仕切られた冷却室２３にて冷却される。
該冷却装置２２は、冷却室２３の上部とストックケース６の下部にまた冷却室２３の底部とストックケース６の上部のそれぞれに冷却通気管２４を装備して冷却室２３および焼き揚った炭８より発生する熱気１６を冷却通気管２４および冷却通気扇２５によってストックケース６内の炭の原料７の隙間と冷却室２３の間を通過循環させるものでる。炭８より発生する熱気１６は、ストックケース６内の炭の原料７の隙間を通過する際に、熱を奪われ、また通気管２４が外気で冷却される。その冷却された熱気１６が、冷却室２３に供給され、焼き揚がった炭８を冷却し、焼き揚った炭８の温度を酸素との接触による発火や着火を防ぐ迄に下げることができる。
なお、上記遮断板９は前記実施例と同様に複数装備することが望ましい。
【００６０】
また冷却通気管２４および冷却通気扇２５によりストックケース６内の炭の原料７の隙間を冷却室２３で発生した熱気１６を通過循環させることにより炭の原料７の乾燥および加熱加温ができて炭焼きに要する時間短縮ができる。
冷却通気管２４に装備した冷却通気扇２５は冷却通気管２４のどの位置に装備しても熱気１６の循環には支障はない。
【００６１】
また冷却通気管２４および冷却通気扇２５により熱気１６の循環によりストックケース６内の炭の原料７の乾燥および加温のための熱気１６の流れの方向は図示の通りの方が熱気１６が温かいために自然に近い状態での循環が起りやすいのであるが、冷却通気扇２５により強制的に熱気１６の流れを図示とは逆方向にしても炭の原料７の乾燥や加温には支障はない。
【００６２】
また冷却室２３上部に接続された冷却通気管２４の一端は図示ではストックケース６の下部に接続されているが、焼成炉２内の加熱機５の手前での加熱機５による熱の照射を受けない調節機１４附近に接続しても冷却通気管２４および冷却通気扇２５による熱気１６の循環による冷却室２２および炭８の冷却または炭の原料７の乾燥加温には支障はない。
【００６３】
また冷却室２３とストックケース６間の熱気１６の循環の冷却通気管２４は冷却室２３の上部と底部にそれぞれ単独の接続が図示されているが、どちらの冷却通気管２４も共に冷却室２３の上部，底部および側部に並べて装備しても冷却室２３内の熱気１６の循環および炭８の冷却には支障はない。
【実施例４】
【００６４】
図５は本発明の炭焼装置に酢液採取装置を装備した概要を示す側面図である。
同図において１は二酸化炭素および熱の発生を極力抑えて、大量の炭の原料を連続して加熱機によって炭に焼く炭焼装置１であり該炭焼装置１における炭の原料より発生する酢液採取装置２０である。その他前記実施例と同じ符号のものは同一物を示し、詳細な説明を省略する。
上記酢液採取装置２０は酢液採取通気管１５，酢液採取通気扇１７，バルブ１８とから構成されている。
【００６５】
酢液採取通気管１５は酢液１９を採取するためにストックケース６の上部と焼成炉２の側部間を接続したものであり、焼成炉２の加熱機５において炭の原料７を炭８に焼いた余熱である熱気１６を炭の原料７の隙間を酢液採取通気扇１７によって通過循環できるものである。なお酢液採取通気管１５は焼成炉２の側部の図示であるが、焼成炉２の底部に接続しても酢液採取に支障はない。
【００６６】
酢液採取通気管１５および酢液採取通気扇１７によって焼成炉２およびストックケース６を接続することにより、加熱機５により炭の原料７を炭８に焼いた熱気１６の余熱を炭の原料７の隙間を通過させることができて、ストックケース６および焼成炉２内の炭の原料７の供給口附近の炭の原料７に含まれる水分を蒸発させ、該原料７の乾燥を増進させることができる。図示では焼成炉２の側部に酢液採取通気管１５を接続してあるが、焼成炉２の底部に接続しても熱気１６の循環には支障はない。
【００６７】
また加熱機５によって加熱されることにより炭の原料７より可燃ガスが発生するが、
該可燃ガスおよび炭の原料７に含まれる水分より蒸発した水蒸気は、酢液採取通気管１５で冷やされることにより、酢液ができる。可燃ガスが冷やされることでできるものが一般的に言われているヤニであり、該ヤニが熱せられることにより炭の原料７より発生した水蒸気に溶け込んで酢液採取通気管１５で冷やされることにより、該酢液採取通気管１５に結露したものが酢液１９である。酢液採取通気管１５の底部にバルブ１８を装備することにより、該バルブ１８を開くことにより酢液採取通気管１５内で結露落下して集まった酢液１９を採取できるのである。また酢液採取通気管１５の下部の一部に酢液１９溜りを装備した場所にバルブ１８を装備しておき、該バルブ１８を開閉することにより、酢液を採取する。
【００６８】
なお、図示では酢液採取通気管１５は直線形状管が図示されているが、冷気を受けやすくするために蛇腹形状管としても支障はない。
また酢液採取通気扇１７は酢液採取通気管１５のどの位置に装備しても熱気１６の循環には支障はない。
【００６９】
また酢液採取通気管１５および酢液採取通気扇１７により熱気１６の循環による酢液１９採取および乾燥，予備焼きのための熱気１６の流れの方向は図示の通りの方が熱気１６が温かいために自然に近い状態での循環が起りやすいのであるが、酢液採取通気扇１７により強制的に熱気１６の流れを図示とは逆方向にしても酢液１９採取や乾燥および予備焼きには支障はない。
【００７０】
なお酢液採取通気管１５および酢液採取通気扇１７により焼成炉２で発生した水蒸気および可燃ガスが酢液採取通気管１５で冷やされて酢液１９ができるのであるが、酢液１９にならなかった余った可燃ガスの溶け込んだ水蒸気が煙として発生した場合、炭の原料７の投入口１０とフタ１１の間に隙間を明けて排出するかまた煙突を装備して排出することが望ましい。また、該排出する煙の量は調節できることが望ましい。
【００７１】
上記酢液採取装置２０は実施例１を示す図２，３，４にも記載しながら詳細な説明をしていないが、同図のものも本実施例と同じ作用効果を有することは言うまでもない。
【図面の簡単な説明】
【００７２】
【図１】本発明による炭焼装置の最良の形態を示す概略説明図である。
【図２】本発明による炭焼装置に空気遮断板を装備した状態を示す概略説明図である。
【図３】本発明による炭焼装置を示し、電動機によって駆動される搬送機を多段に装備した概略説明図である。
【図４】本発明による炭焼装置に焼き揚った炭の冷却装置を装備した概略説明図である。
【図５】本発明の加熱機による炭焼装置に酢液採取装置を装備した概略説明図である。
【符号の説明】
【００７３】
１    炭焼装置
２    焼成炉
３    電動機
４    搬送機
５    加熱機
６    ストックケース
７    炭の原料
８    炭
９    遮断板
１０  投入口
１１  フタ
１２  搬出口
１３  水
１４  調節機
１５  酢液採取通気管
１６  熱気
１７  酢液採取通気扇
１８  バルブ
１９  酢液
２０  酢液採取装置
２２  冷却装置
２３  冷却室
２４  冷却通気管
２５  冷却通気扇
【図１】
2009143994.tif 000003
【図２】
2009143994.tif 000004
【図３】
2009143994.tif 000005
【図４】
2009143994.tif 000006
【図５】
2009143994.tif 000007